(57)【要約】【課題】天井等の取付部の板厚による保持力の変動を抑制するとともに、灯具本体の大型化を抑制することができる照明器具を実現する。【解決手段】灯具２と、灯具２を取付孔Ｈに取り付けるための取付バネ９を備える埋込型照明器具１であって、取付バネ９は、巻回部９ａを有するぜんまいバネから構成され、巻回部９ａの外周面の一部を灯具２の取付孔Ｈへの挿入方向に向け、巻回部９ａを灯具２の側方に突出させた状態で、ぜんまいバネが灯具２の側部である第２反射部８のバネ取付部８ｄに固定される。【選択図】図３
2019160574.tif 000002
【特許請求の範囲】
【請求項１】
灯具と、前記灯具を取付孔に取り付けるための取付バネを備える照明器具であって、
前記取付バネは、巻回部を有するぜんまいバネから構成され、
前記巻回部の外周面の一部を前記灯具の取付孔への挿入方向に向け、前記巻回部を前記灯具の側方に突出させた状態で、前記取付バネが前記灯具の側部に配置される照明器具。
【発明の詳細な説明】
【技術分野】
【０００１】
本発明は、照明器具に関する。
【背景技術】
【０００２】
従来、天井等に形成された取付孔に取り付けられるダウンライト等の埋込型の照明器具が知られている。この種の埋込型の照明器具は、取付孔において照射方向に向けて配置される光源部と、該光源部を有する灯具本体と、該灯具本体から延設される電源部と、灯具本体を取付孔に固定する固定手段として取付バネを備えたものが知られている。例えば、特許文献１の如くである。
【０００３】
特許文献１には、円柱形状の枠体の下端に鍔部材が取り付けられ、枠体の側面には複数個（特許文献１の図１では、３個）の取付バネが放射状に外側へ張り出して設けられた埋込型照明器具が開示されている。この照明器具は、天井の下面に鍔部材を当接させ、側面視で略Ｖ字状に屈曲された取付バネが開いて天井の上面（天井裏）を下方へ押圧することにより、鍔部材と取付バネとで天井を挟んで取り付けられる。
【先行技術文献】
【特許文献】
【０００４】
【特許文献１】特開２０１３−１１４８１３号公報
【発明の概要】
【発明が解決しようとする課題】
【０００５】
特許文献１に記載の埋込型照明器具の取付バネが天井の上面を下方へ押圧する力は、天井に対する取付バネの接触角度が直角に近づくにつれて小さくなる。一方、天井に対する取付バネの角度は、屈曲部から天井の上面との接触位置までの長さによって定まる。つまり、取付バネによる灯具本体の保持力は、天井の板厚によって変動する。また、埋込型照明器具は、灯具本体と取付孔との隙間に屈曲部を有する側面視Ｖ字状の取付バネを配置する構造であるため、灯具本体と取付孔との隙間を塞ぐ鍔部材の幅が大きくなり灯具本体が大型化する点で不利であった。
【０００６】
そこで、本発明は、上記課題に鑑みてなされたものであり、天井等の取付部の板厚による保持力の変動を抑制するとともに、灯具本体の大型化を抑制することができる照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、灯具と、前記灯具を取付孔に取り付けるための取付バネを備える照明器具であって、前記取付バネは、ぜんまいバネから構成され、前記ぜんまいバネの板面を前記灯具の取付孔への挿入方向に向け、前記灯具の側方に突出させた状態で、前記ぜんまいバネが前記灯具の側部に固定されるものである。
【発明の効果】
【０００９】
本発明によれば、ぜんまいバネの巻回部が天井等の取付部を照射方向へ常に押圧しているので取付部の板厚によって力の方向が変化しない。また、灯具本体と取付孔との隙間には、ぜんまいバネを形成している帯状の部材のみが配置される構成なので隙間の大きさが抑制される。これにより、天井等の取付部の板厚による保持力の変動を抑制するとともに、灯具本体の大型化を抑制することができる。
【図面の簡単な説明】
【００１０】
【図１】本発明の一実施形態に係る埋込型照明器具を示す平面図。
【図２】図１のＡ−Ａ線における断面図であり、埋込型照明器具を取付穴に取り付けた状態を示す断面図。
【図３】本発明の一実施形態に係る埋込型照明器具の灯具部分の部分断面図。
【図４】（ａ）本発明の一実施形態に係る埋込型照明器具の仮止め機構を示す部分拡大断面図、（ｂ）同じく仮止め機構を示す部分拡大側面図。
【図５】（ａ）本発明の一実施形態に係る埋込型照明器具において取付バネが仮止めされた状態を示す側面図、（ｂ）同じく仮止めされた取付バネが取付孔に挿入されている状態を示す側面図。
【図６】（ａ）本発明の一実施形態に係る埋込型照明器具において取付バネの仮止めが解除された状態を示す側面図、（ｂ）同じく取付バネが天井に係止された状態を示す側面図。
【図７】本発明の一実施形態に係る埋込型照明器具が取付バネによって天井から支持されている状態を示す側面図。
【発明を実施するための形態】
【００１１】
本発明の実施形態に係る照明器具の一例である埋込型照明器具１について、図１から図４を用いて説明する。埋込型照明器具１は、例えば、取付部となる天井Ｂに形成された円形の取付孔Ｈに埋め込まれて設置されるダウンライトである。なお、取付孔Ｈは円形に限らない。以下の説明では、埋込型照明器具１の上下方向は、埋込型照明器具１が天井Ｂに設置された状態における上下方向として説明する。上下方向に直交する方向を径方向として説明する。また、本実施形態の説明において、上方から埋込型照明器具１等を視た状態を平面視とする。上下方向に対して直交方向から埋込型照明器具１等を視た状態を側面視とする。埋込型照明器具１等の断面形状を視た状態を断面視とする。
【００１２】
図１から図３に示すように、埋込型照明器具１は、灯具２と、電源部１１とを主に備える。
【００１３】
灯具２は、器具本体３、光源部４（図２参照）、第１反射部６（図２参照）、パネル（図２参照）７、第２反射部８（図２参照）、及び取付バネ９を主に有している。
【００１４】
図２と図３とに示すように、器具本体３は、光源部４、第１反射部６、第２反射部８、パネル７等を支持するものである。器具本体３は、放熱効率を向上させるために熱伝導率の高いアルミニウム等の金属素材で形成されている。すなわち、器具本体３は、ヒートシンクとしての機能を有する。器具本体３は、基部３ａと、放熱フィン３ｂと、光源配置部３ｃと、電源取付部３ｄと、を有している。
【００１５】
基部３ａは、器具本体３のベースとなる部分である。基部３ａは、下方が開口している有底の略円筒状に形成されている。基部３ａの上部外側には、平面視において互いが略平行をなすとともに、上方に立設する複数の放熱フィン３ｂ・３ｂ・・・が形成されている。また、基部３ａの上部内側には、光源部４を配置するための光源配置部３ｃが形成されている。つまり、基部３ａには、放熱フィン３ｂと光源配置部３ｃとが対向するように配置されている。
【００１６】
放熱フィン３ｂは、基部３ａ上から複数突出して形成される板状の放熱部材ある。光源配置部３ｃに配置されている光源部４から発した熱は、基部３ａを介して器具本体３の全体に伝わる。器具本体３に伝わった熱は、主に放熱フィン３ｂから空気中へ放散される。
【００１７】
電源取付部３ｄは、放熱フィン３ｂの側方部に形成されている。電源取付部３ｄは、ネジ等の固定部材によって電源部１１が取り付けられるものである。電源取付部３ｄの下側には、電線１３を通すための外側面が開放された空間３ｅが設けられている。
【００１８】
光源部４は、埋込型照明器具１の照射面側に向けて光を出射するものである。光源部４は、発光素子としてＬＥＤ素子を備えたモジュール基板から構成されている。光源部４は、器具本体３の光源配置部３ｃに設けられている。光源部４は、器具本体３の光源配置部３ｃに当接して配置され、光源部４の中央部が固定部材であるネジ５により固定されている。光源部４は、電線１３によって電源部１１と電気的に接続されている。光源部４は、点灯時に発熱したＬＥＤ素子からの熱を光源配置部３ｃに伝達する。光源部４は、熱伝導性シート（図示せず）や放熱グリスを介して光源配置部３ｃに取り付けてもよく、これにより、より高い放熱性を得ることができる。
【００１９】
なお、本実施形態では、光源部４の中央部をネジ５により固定しているが、特に限定するものではない。例えば、光源部４においてＬＥＤ素子が配置された発光領域内の任意の部分を固定部材により固定する構成とすることもできる。
また、本実施形態では、光源としてＬＥＤ素子（表面実装タイプのＬＥＤ素子）を用いたが、光源の種類はＬＥＤ素子に限定されず、例えばＣＯＢ型発光モジュールや有機ＥＬ素子（ＯＬＥＤ）などであっても実現可能である。
【００２０】
第１反射部６は、光源部４とパネル７とを所定間隔で離間しつつ、複数のＬＥＤ素子からの光を反射する笠状部材である。第１反射部６は、樹脂素材等で形成される。第１反射部６は、器具本体３の光源配置部３ｃに固定されている。第１反射部６は、下方に行くに従って広がる斜面状に形成されている。第１反射部６の内周面は、ＬＥＤ素子から発光される光を反射する反射面となっている。第１反射部６は、ＬＥＤ素子の下方以外の方向に出た光を反射させて、ＬＥＤ素子から発光される光を下方に効率よく集光するように構成されている。なお、本実施形態の第１反射部６としては、下方に行くに従って広がる斜面状に形成したものを説明したが、これに限定されない。例えば、反射部の形状として、周壁部８ａが下方に行くに従って広がる放物面状に形成されるものであっても良い。
【００２１】
パネル７は、器具本体３の光源配置部３ｃ内に配置されたＬＥＤ素子からの光を透過及び拡散させて、照射面を形成する部材である。パネル７は、透光性を有する樹脂素材やガラス素材等で形成される。本実施形態においては、パネル７は、アクリル樹脂を用いて形成されている。パネル７は、平面視形状が円形で下方に突出するドーム状に形成されている。パネル７は、第２反射部８に位置決めされるとともに、第１反射部６の下端と第２反射部８の上端のパネル保持部８ｂとで挟持され、ＬＥＤ素子に対向する位置に保持される。
なお、パネル７の形状は、円形形状に限らず、四角形等の多角形でも良い。また、下方に突出するドーム状に限らず、上方に突出する形状や平面状等でも良い。
【００２２】
第２反射部８は、パネル７を中心にして下方に向かって椀状に開いた形状の光源用リフレクターである。第２反射部８は、周壁部８ａ、パネル保持部８ｂ、フランジ部８ｃ、バネ取付部８ｄ及び係止部８ｅを有している。第２反射部８は、図示しないネジ等の固定部材によって器具本体３の下側に固定されている。
【００２３】
第２反射部８は、周壁部８ａを有する円筒状に形成されている。周壁部８ａは、下方に行くに従って広がる放物面状に形成される。周壁部８ａの内周面は、ＬＥＤ素子から発光される光を反射する反射面となっている。第２反射部８は、樹脂素材や金属素材等を用いて形成されている。本実施形態においては、アルミ等の金属素材を用いて第２反射部８を形成した。第２反射部８は、その断面形状において上面側及び下面側が開口形成されている。
【００２４】
パネル保持部８ｂは、パネル７を保持する断面視Ｌ字状の部分である。パネル保持部８ｂは、周壁部８ａの上端に設けられている。パネル７は、パネル保持部８ｂに係止されることで第２反射部８の上端に位置決めされる。なお、第２反射部８の平面視形状は、円形形状に限らず、四角形等の多角形でもよく、種々の取付孔の開口形状に取り付け可能な形状であってもよい。
【００２５】
フランジ部８ｃは、周壁部８ａの下部の外周縁から径方向外側に突出して環状に形成される鍔部である。フランジ部８ｃは、埋込型照明器具１を天井Ｂの取付孔Ｈに設置した状態で取付孔Ｈの周縁部を覆う部分である。つまり、フランジ部８ｃは、取付孔Ｈと灯具２（周壁部８ａ）との隙間を覆うように構成されている。
【００２６】
図３に示すように、バネ取付部８ｄは、取付バネ９を第２反射部８に取り付ける部分である。バネ取付部８ｄは、第２反射部８の下端部から径方向外側に突出して形成されている。なお、バネ取付部８ｄが第２反射部８から突出していることは必須ではない。バネ取付部８ｄは、第２反射部８の周壁部８ａの周縁に略均等配置されるように複数個（本実施形態においては２個が対向して）設けられている。なお、バネ取付部８ｄは、周壁部８ａの周縁に均等配置されていることは必須ではない。バネ取付部８ｄは、径方向外側面を取付面として、取付バネ９を固定するためのネジ孔が形成されている。
【００２７】
係止部８ｅは、取付バネ９を仮止めするものである。係止部８ｅは、取付バネ９の被係止部９ｄとともに仮止め機構を構成している。係止部８ｅは、取付バネ９を第２反射部８側に寄せて仮固定するように構成されている。係止部８ｅは、バネ取付部８ｄの上方であって、周壁部８ａから径方向外側に突出して形成されている。係止部８ｅは、バネ取付部８ｄの取付面よりも径方向内側に配置されている。つまり、係止部８ｅは、取付バネ９をバネ取付部８ｄの取付面よりも径方向内側に引き寄せた状態で仮止めするように構成されている。
【００２８】
図４（ａ）と図４（ｂ）とに示すように、取付バネ９は、埋込型照明器具１を天井Ｂの取付孔Ｈに埋め込んで取り付けるための固定手段である。取付バネ９は、第２反射部８の周壁部８ａに対向配置されたバネ取付部８ｄにそれぞれ固定されている。取付バネ９は、ぜんまいバネから構成されている。また、取付バネ９は、巻回した部分から引き出した長さ（延伸量）に関わらず、ほぼ一定のばね荷重が生じるように形成された定荷重ぜんまいバネである。取付バネ９は、渦巻状に巻回されている巻回部９ａと、巻回部９ａの外側の端部である固定部９ｂと、巻回部９ａの内側の端部である抜止め部９ｃと、仮止め機構を構成する被係止部９ｄを有する。
【００２９】
巻回部９ａは、バネ荷重を生じさせる部分である。巻回部９ａは、ステンレス素材等からなる帯状の金属部材をその中心線が平面上で渦巻状になるように巻回して形成されている。つまり、巻回部９ａは、帯状の金属部材が板面を径方向外側に向けて巻回されることで、円筒状の外周面が形成されている。
【００３０】
固定部９ｂは、灯具２に取り付けられる部分である。固定部９ｂは、巻回部９ａの最も外側の帯状の金属部材が所定長さだけ平面状に延出された部分である。固定部９ｂには、図示しないネジ孔が形成されている。つまり、固定部９ｂは、平坦な板面を第２反射部８のバネ取付部８ｄに接触させて第２反射部８に取り付けられるように構成されている。
【００３１】
抜止め部９ｃは、灯具２の天井Ｂからの落下を防止するものである。抜止め部９ｃは、灯具２が取付孔Ｈから抜け落ちて取付バネ９が伸びきった場合に、天井Ｂに引っ掛かることで天井Ｂから灯具２が落下しないようにするものである。抜止め部９ｃは、巻回部９ａの内側の端部が鉤状に折り曲げられて形成されている。抜止め部９ｃは、巻回部９ａが全て引き出された場合に抜止め部９ｃが天井Ｂに係止されて、天井Ｂと取付バネ９との接触状態を維持するように構成されている。なお、取付バネ９の取付位置、本数等については、本実施形態のものに限定されない。
【００３２】
被係止部９ｄは、第２反射部８の係止部８ｅに係止される部分である。被係止部９ｄは、取付バネ９の係止部８ｅとともに仮止め機構を構成している。被係止部９ｄは、取付バネ９に形成されている矩形の貫通孔から構成されている。取付バネ９は、巻回部９ａを周壁部８ａに寄せた状態で、被係止部９ｄの上側周縁が係止部８ｅに係止されるように構成されている。なお、被係止部９ｄは、係止部８ｅに係止されれば、形状が矩形であること、および貫通孔で構成されていることは必須ではない。
【００３３】
図３に示すように、二個の取付バネ９は、巻回部９ａの外周面の一部を灯具２の取付孔Ｈへの挿入方向に向け、巻回部９ａを器具本体３の側方に突出させた状態で、固定部９ｂが第２反射部８のバネ取付部８ｄにネジ１０により固定されている。この際、巻回部９ａは、第２反射部８の径方向の直線と巻回部９ａの径方向の直線とが一致するように配置されている。つまり、取付バネ９は、巻回部９ａが第２反射部８から最も突出する向きで、巻回部９ａの巻き込み方向が灯具２の取付孔Ｈへの挿入方向である上下方向になるようにして、灯具２の側方に配置されている。これにより、取付バネ９は、巻回部９ａが上下方向に伸縮可能な状態で第２反射部８の側方に固定されている。また、対向配置されている取付バネ９の巻回部９ａの中心間の長さＬｃは、取付孔Ｈの直径Ｄよりも大きくなるように構成されている。つまり、取付バネ９は、巻回部９ａと天井Ｂとの接触点Ｐの鉛直線上に巻回部９ａの中心Ｃが配置されている。
【００３４】
図２に示すように、電源部１１は、光源部４が有するＬＥＤ素子に給電を行って、ＬＥＤ素子を点灯させるための電源装置である。電源部１１は、器具本体３の電源取付部３ｄにネジ等の締結部材により取り付けられている。電源部１１は、電源ケース内に直方形状に加工されたプリント配線基板上に複数の電子部品が実装された電源回路が収容されたものである。複数の電子部品は、動作時に発熱する部品が含まれている。電源部１１は、外部商用電源から供給される交流電流を所定の直流電流に変換し、変換後の電流を光源部４に実装された複数のＬＥＤ素子に供給する。電源部１１は、配線（図示せず）を介して端子台１２に電気的に接続されている。端子台１２は、電源部１１の一側面に配置されている。埋込型照明器具１を天井Ｂに取り付ける際、配線（図示せず）により端子台１２と天井Ｂの上側の外部商用電源（図示せず）とを接続することで、電源部１１は外部商用電源と電気的に接続される。電源部１１と光源部４は電線１３によって電気的に接続されている。なお、電源部１１の具体構成および器具本体３への取付構造は、本実施形態の構成に限定されない。
【００３５】
次に、図５から図７を用いて、埋込型照明器具１の取り付け方法と、埋込型照明器具１を取り付ける際の取付バネ９の仮止め機構について説明する。天井Ｂに対して図示上側が天井裏の空間とし、天井Ｂに対して図示下側が居室空間とする。
埋込型照明器具１は、居室空間である天井Ｂの下側から取付孔Ｈに電源部１１を挿入後に灯具２が取付孔Ｈに挿入され、取り付けられるものである。なお、以下の説明において、埋込型照明器具１は、既に電源部１１が取付孔Ｈに挿入されているものとし、便宜上、電源部１１の取り付け説明および図示を省略するものとする。
【００３６】
図５（ａ）に示すように、埋込型照明器具１は、第２反射部８の係止部８ｅに取付バネ９の被係止部９ｄが仮止めされている。取付バネ９は、巻回部９ａが第２反射部８側に向かって寄せられ、被係止部９ｄが係止部８ｅに係止されている。つまり、取付バネ９は、巻回部９ａと固定部９ｂとの間で第２反射部８の径方向内側に向かって弾性変形されている。これにより、取付バネ９には、変形前の形状に戻ろうとする径方向外側に向かう復元力が生じている（黒塗矢印参照）。取付バネ９は、巻回部９ａが第２反射部８の周壁部８ａに接触した状態で仮止めされている。この際、対向配置されている二個の取付バネ９の巻回部９ａ間の最大長さＬｍａｘは、取付孔Ｈの直径Ｄよりも大きい。一方、巻回部９ａの中心間の長さＬｃは、取付孔Ｈの直径Ｄよりも小さい。このように構成することで、埋込型照明器具１は、取付バネ９の巻回部９ａの外周面うち径方向外側の曲面が取付孔Ｈの下側の周縁部に対向した状態で取付孔Ｈに挿入される。灯具２は、器具本体３の放熱フィン３ｂ側から取付孔Ｈに挿入される。取付バネ９の巻回部９ａは、灯具２の取付孔Ｈへの挿入によって取付孔Ｈの下側の周縁部に接触する。
【００３７】
図５（ｂ）に示すように、埋込型照明器具１は、取付バネ９の巻回部９ａが取付孔Ｈの周縁部に接触すると、巻回部９ａの外周面の作用により巻回部９ａが径方向内側に弾性変形される。つまり、取付バネ９は、巻回部９ａの外周面がガイドとして作用する。巻回部９ａは、取付孔Ｈの周縁よりも径方向外側に突出している部分が取付孔Ｈに向かって押しこまれる（黒塗矢印参照）。埋込型照明器具１は、取付バネ９の巻回部９ａが取付孔Ｈの内周面と第２反射部８の周壁部８ａに挟まれた状態で取付孔Ｈに挿入される。このように、埋込型照明器具１は、取付バネ９を第２反射部８に仮止めすることで、作業者の手で取付孔Ｈに挿入可能な状態に押さえることなく取付バネ９が取付孔Ｈに案内される。
【００３８】
図６（ａ）に示すように、取付バネ９の巻回部９ａは、その中心が取付孔Ｈの上側の周縁部よりも上側に到達すると弾性変形する前の形状に戻り始める。この際、取付バネ９は、巻回部９ａの外周面の作用により、復元力の分力として取付孔Ｈに対して下方向の力を加える。つまり、巻回部９ａは、その反力によって上方向に持ち上げられる（黒塗矢印参照）。これにより、取付バネ９は、被係止部９ｄが第２反射部８の係止部８ｅから離間して仮止めが解除される。さらに、取付バネ９には、仮止めによって弾性変形されていた巻回部９ａと固定部９ｂとの間に生じる復元力によって巻回部９ａを径方向外側に移動させる力が生じる（薄墨矢印参照）。
【００３９】
図６（ｂ）に示すように、取付バネ９は、巻回部９ａと固定部９ｂとの間に生じる復元力によって巻回部９ａが取付孔Ｈの周縁上から天井Ｂの上側面に移動する。取付バネ９は、天井Ｂの上側面に巻回部９ａが配置された状態で、巻回部９ａから引き出された端部に灯具２が固定されている。この際、灯具２には、定荷重ぜんまいバネである取付バネ９によって、常に一定の上方向の荷重Ｆ（黒塗矢印参照）が加わっている。
【００４０】
埋込型照明器具１は、フランジ部８ｃが天井Ｂの下側面に接触することで、取付バネ９の荷重Ｆと等しい反力（黒塗矢印参照）によって天井Ｂの上側面を下方に押圧し、取付バネ９とフランジ部８ｃとで天井Ｂを挟み込む。この際、フランジ部８ｃは、灯具２と取付孔Ｈとの隙間を覆う。このように埋込型照明器具１は、灯具２と取付孔Ｈとの隙間に取付バネ９の帯状の金属部材が挿通され、取付バネ９によって天井Ｂの上側面にから保持されている。
【００４１】
図７に示すように、埋込型照明器具１は、下方向の外力によって取付孔Ｈから灯具２が外れた場合、取付バネ９の巻回部９ａから帯状の金属部材が引き出されて天井Ｂから釣り下がった状態になる。取付バネ９は、定荷重ぜんまいバネから構成されているため、灯具２を取付孔Ｈの挿入方向（上方向）に引き上げる一定の荷重Ｆが常に発生している（黒塗矢印参照）。従って、埋込型照明器具１は、下方向の外力よりも取付バネ９の荷重Ｆが大きくなると、取付バネ９によって取付孔Ｈの挿入方向に引き上げられる。
【００４２】
以上、説明した本実施形態に係る埋込型照明器具１は、取付バネ９であるぜんまいバネの巻回部９ａから引き出された端部に灯具２が固定され、天井Ｂの厚さに応じて巻回部９ａからの引き出し量が変更されるので、天井Ｂの板厚に関わらず、常に灯具２を引き上げる力が生じている。これにより、埋込型照明器具１は、天井Ｂの板厚に応じた取付バネ９の力の変動を抑制することができる。また、埋込型照明器具１は、灯具２と取付孔Ｈとの隙間に取付バネ９の帯状の部材が挿通され、その先端部に灯具２が固定されている。従って、灯具２と取付孔Ｈとの隙間は、取付バネ９を構成している１枚の帯状の部材が挿通可能な幅であればよい。これにより、埋込型照明器具１は、灯具２と取付孔Ｈとの隙間を覆うために必要なフランジ部８ｃによる灯具２の径寸法の大型化を抑制することができる。
【００４３】
また、本実施形態に係る埋込型照明器具１は、灯具２の第２反射部８に設けられる係止部８ｅと、取付バネ９の固定部９ｂ側に設けられる被係止部９ｄと、からなる仮止め機構を有し、被係止部９ｄが係止部８ｅに係止されると、取付孔Ｈの軸方向視で、取付バネ９であるぜんまいバネの中心が取付孔Ｈの内側にされ、ぜんまいバネの外周面が取付孔Ｈの外側に配置されることを特徴としている。これにより、埋込型照明器具１は、灯具２を取付孔Ｈに挿入すると、取付バネ９の巻回部９ａのガイド作用によって取付バネ９が取付孔Ｈに誘い込まれ、巻回部９ａが取付孔Ｈと第２反射部８とに挟まれて弾性変形される。また、巻回部９ａが取付孔Ｈを通過すると、その復元力によって仮止めが解除されつつ、巻回部９ａが天井Ｂに係止されるので、作業者が取付バネ９を手で押さえながら取付孔Ｈに挿入する必要がなく容易に天井Ｂに取り付けることができる。
【００４４】
また、本実施形態に係る埋込型照明器具１は、取付バネ９が定荷重ぜんまいバネから構成されていることを特徴としている。埋込型照明器具１は、取付時に天井Ｂの厚さに応じて巻回部９ａからの引き出し量が変更されても、灯具２を引き上げる力として常に一定の上方向の荷重Ｆ（白塗矢印参照）が加わっている。これにより、埋込型照明器具１は、取付部である天井Ｂの状態や天井Ｂに対する灯具２の位置に関わらず、灯具２の保持力を維持することができる。
【００４５】
また、本実施形態に係る埋込型照明器具１は、取付バネ９の巻回部９ａの内側の端部に抜止め部９ｃが形成されていることを特徴とする。埋込型照明器具１は、外力によって灯具２が取付孔Ｈから外れると、取付バネ９の巻回部９ａから帯状の金属部材が引き出される。埋込型照明器具１は、抜止め部９ｃが天井Ｂに引っかかることで天井Ｂと灯具２との接続が維持され、外力が荷重Ｆよりも小さくなると灯具２が上方向に引き上げられる。これにより、埋込型照明器具１は、外力が加わっても天井Ｂから脱落することなく、元の状態に復帰することができる。
【００４６】
上述の実施形態は、代表的な形態を示したに過ぎず、一実施形態の骨子を逸脱しない範囲で種々変形して実施することができる。さらに種々なる形態で実施し得ることは勿論のことであり、本発明の範囲は、特許請求の範囲の記載によって示され、さらに特許請求の範囲に記載の均等の意味、および範囲内のすべての変更を含む。
【符号の説明】
【００４７】
１    埋込型照明器具
２    灯具
４    光源部
６    第１反射部
８    第２反射部
８ｄ  バネ取付部
９    取付バネ
Ｂ    天井
Ｈ    取付孔
【図１】
2019160574.tif 000003
【図２】
2019160574.tif 000004
【図３】
2019160574.tif 000005
【図４】
2019160574.tif 000006
【図５】
2019160574.tif 000007
【図６】
2019160574.tif 000008
【図７】
2019160574.tif 000009